(57)【要約】      （修正有）【課題】無駄に破棄されるボールペンインクの量が少なくて済むうえに、製造時におけるボールペンインクの総量を大幅に少なくし、製造コストの削減、資源節約や自然環境への好影響、に貢献することができる先端収納式筆記具を提供する。【解決手段】内側の長さ方向に延びる空間部１１を有するペン本体部１０と、空間部１１に配設されて充填空間部２１を有する軸状の複数の芯部２０と、複数の芯部２０ごとの充填空間部２１に充填された互いに異なる色のボールペンインク２２と、複数の芯部２０のペン先部２３をペン本体部１０の先端の孔部１２から択一的に出没させる操作部１３と、を有し、複数の芯部２０は、その外径並びに内径が何れも同一であり、使用頻度の高い色のボールペンインクは軸線方向に長い充填空間部２１に多く充填され、使用頻度の低い色のボールペンインクになるほど軸線方向に短い充填空間部２１に少なく充填されている。【選択図】図２
0003218106.tif 000002
【実用新案登録請求の範囲】
【請求項１】
内側の長さ方向に延びる空間部を有するペン本体部と、
前記空間部に配設されて充填空間部を有する軸状の複数の芯部と、
前記複数の芯部ごとの前記充填空間部に充填された互いに異なる色のボールペンインクと、
前記複数の芯部のペン先部を前記ペン本体部の先端の孔部から択一的に出没させる操作部と、
を有する先端収納式筆記具において、
前記複数の芯部は、
その外径並びに内径が何れも同一であり、
使用頻度の高い色の前記ボールペンインクは軸線方向に長い前記充填空間部に多く充填され、
使用頻度の低い色の前記ボールペンインクになるほど軸線方向に短い前記充填空間部に少なく充填されている、
ことを特徴とする先端収納式筆記具。
【請求項２】
前記複数の芯部は、
その長さが同一とされ、かつ、各前記充填空間部に前記ボールペンインクを充填した際の充填量に相当する前記充填空間部における前記ペン先部とは逆側の後端部側に液状のインク逆流防止体が設けられ、
前記インク逆流防止体は、
前記各複数の芯部に対する前記充填空間部における前記ボールペンインクの充填量が少ないほど、充填量が多い、
ことを特徴とする請求項１に記載の先端収納式筆記具。
【請求項３】
前記各充填空間部における前記ボールペンインクの充填量と前記インク逆流防止体の充填量との和が同じである、
ことを特徴とする請求項２に記載の先端収納式筆記具。
【考案の詳細な説明】
【技術分野】
【０００１】
本考案は、先端収納式筆記具に関し、特に、1本のペン本体部に対して異なる色のボールペンインクをそれぞれ充填した複数の芯部を設けた先端収納式筆記具に関する。
【背景技術】
【０００２】
ボールペンに使用されているボールペンインク（以下、単に「インク」とも称する）は、着色剤の種類は染料系及び顔料系、溶剤は油性及び水性の各２種類に大別することができ、それぞれを組み合わせることが可能である。
【０００３】
一般的に、古くから使用されているボールペンインクは、ベンジルアルコール等の油性溶剤に染料インクを組み合わせている。特に、近年においては、油性溶剤の種類を変更した低粘度タイプが開発されている。
【０００４】
一方、書き心地を向上するという観点では、溶剤に水を使った水性インク、その水にゲル化剤を入れているゲルインク、溶剤の中に水滴を閉じ込めたエマルジョンインク、のように、改良された多くの種類のボールペンインクが開発されている。
【０００５】
他方、保存性の観点では、着色剤が顔料か染料かで大きく分かれ、特に、染料の場合には顔料に比べて良くないとされている。
【０００６】
インクの経年劣化には、未使用時における劣化と使用後の劣化とがあるが、特に未使用時の劣化としては、水、湿気、光、アルコール、ボールペンインク中の染料と油分の分離など、原因とされている。
【０００７】
特に劣化し易いのは染料系の低粘度タイプのものとされており、書き心地は良いものの、溶剤の分離が起こり易いため、長期保存には向かないとされている。
【０００８】
また、着色剤が染料系の場合には、光によって分子が破壊され易いため、明るい場所での保管は好ましくないとされている。
【０００９】
さらに、油性の場合、溶剤がアルコール水性なら溶剤が水であるため、水、湿気、アルコールには弱いということになるが、使用後の劣化に関して、例えば、１０年ダイヤリーなどの古い日記などは普通に保管していれば、光、湿気（水）、アルコールに晒されることは殆ど無いと思われる。したがって、経年劣化においては、特に、染料系の着色剤と溶剤の分離が一番問題となっている。
【００１０】
なお、顔料系の場合はそもそも溶剤に溶解していないので顔料と溶剤の分離による劣化は染料ほど問題にはならないが、劣化しないというものではない。一般に、ボールペンに使用されるボールペンインクは、経年劣化を考慮すると、３年以内に使い切るのが望ましい。
【００１１】
また、１本のペン本体部に、複数種類（複数色）の芯を装着した先端収納式筆記具の場合、例えば、「黒色」「青色」「赤色」「緑色」の所謂４色ボールペンの場合、「黒色」や「青色」は比較的頻繁に使用され、特に「黒色」の使用頻度は高い。これに対し、「赤色」や「緑色」は稀に使用され、特に「緑色」の使用頻度は低い。なお、これらの使用頻度は、統計的なものであって、使用者の業務等によっては、使用頻度は異なる場合がある。
【００１２】
したがって、１本のペン本体部で多くの色での筆記を可能とする先端収納式筆記具は、その利便性から広く普及しており、使いきった場合などの取り替え用の替芯部も販売されてはいる。
【００１３】
しかしながら、一色でも使い切り等でボールペンインクが出なくなると、他の色のボールペンインクはまだ残っているにも拘らず、取り替え用の替芯部を購入することなく、先端収納式筆記具そのものを破棄してしまっているのが実情である。
【００１４】
したがって、資源節約や自然環境への影響などの観点を考慮すると、殆ど使われることなく、破棄されてしまうのは、ペン本体部の有効利用を含め、十分や利用形態を提供しているものとはいい難かった。
【００１５】
しかも、例え、取り替え用の替芯部を購入したとしても、上述した経年劣化により、実際に使用する際にはボールペンインクが出ない、或は、文字等がかすれてしまう、という不具合が生じており、結果的に他色ボールペンそのものを破棄してしまうという悪循環を招いてしまうという問題が生じていた。
【００１６】
そこで、例えば、使用頻度の高いボールペンインクの芯部を他のボールペンインクの芯部よりも太くして、ボールペンインクの量を増やすことによって長持ちさせることも考えられている（例えば、特許文献１参照）。
【先行技術文献】
【特許文献】
【００１７】
【特許文献１】特開平０６−３１６１９５号公報
【考案の概要】
【考案が解決しようとする課題】
【００１８】
しかしながら、単純に使用頻度の高い芯部を太くした場合、１本のペン本体部の径も太くしないと、ペン先の出し入れをすることが困難で、先端収納式筆記具には不向きであった。しかも、使用頻度の低いボールペンインクの量はそのままであるため、結果的にボールペンインクの経年劣化に伴う不具合を解消することはできないという問題が生じていた。
【００１９】
本考案の課題は、上述のような課題を解決するために、１色のボールペンインクの使い切りにより、例え、破棄された場合であっても、無駄に破棄されるボールペンインクの量が少なくて済むうえに、製造時におけるボールペンインクの総量を大幅に少なくし、製造コストの削減、資源節約や自然環境への好影響、に貢献することができる先端収納式筆記具を提供することにある。
【課題を解決するための手段】
【００２０】
本考案に係る先端収納式筆記具は、上記目的を達成のため、内側の長さ方向に延びる空間部を有するペン本体部と、前記空間部に配設されて充填空間部を有する軸状の複数の芯部と、前記複数の芯部ごとの前記充填空間部に充填された互いに異なる色のボールペンインクと、前記複数の芯部のペン先部を前記ペン本体部の先端の孔部から択一的に出没させる操作部と、を有する先端収納式筆記具において、前記複数の芯部は、その外径並びに内径が何れも同一であり、使用頻度の高い色の前記ボールペンインクは軸線方向に長い前記充填空間部に多く充填され、使用頻度の低い色の前記ボールペンインクになるほど軸線方向に短い前記充填空間部に少なく充填されている、ものである。
【００２１】
本考案に係る先端収納式筆記具は、ペン本体部の内側の長さ方向に延びる空間部にボールペンインクの充填空間部を有する軸状の複数の芯部が配設され、複数の芯部ごとの充填空間部に互いに異なる色のボールペンインクが充填され、操作部による複数の芯部に対する択一的な出没操作によってペン先部がペン本体部の先端の孔部から出没される。ここで、複数の芯部の外径並びに内径が何れも同一である。ここで、複数の芯部の各充填空間には、使用頻度の高い色のボールペンインクの場合には軸線方向に長く充填されることにより充填量も多く充填され、使用頻度の低い色のボールペンインクになるほど軸線方向に短く充填されることにより充填量も少なく充填される。
【００２２】
請求項２記載の考案は、前記複数の芯部は、その長さが同一とされ、かつ、各前記充填空間部に前記ボールペンインクを充填した際の充填量に相当する前記充填空間部における前記ペン先部とは逆側の後端部側に液状のインク逆流防止体が設けられ、前記インク逆流防止体は、前記各複数の芯部に対する前記充填空間部における前記ボールペンインクの充填量が少ないほど、充填量が多い、ものである。
【００２３】
したがって、長さが同一である複数の芯部の各充填空間部には、ボールペンインクが充填されるとともに、そのボールペンインクを充填した際の充填量に相当する充填空間部におけるペン先部とは逆側の後端部側に液状のインク逆流防止体が設けられる。そして、各複数の芯部に対する充填空間部におけるボールペンインクの充填量が少ないほど、インク逆流防止体の充填量は多い。
【００２４】
請求項３記載の考案は、前記各充填空間部における前記ボールペンインクの充填量と前記インク逆流防止体の充填量との和が同じである、ものである。
【００２５】
したがって、複数の芯部の各充填空間におけるボールペンインクの充填量とインク逆流防止体の充填量とは異なるものの、その全体の充填量となる和は複数の芯部に対して同じとなる。
【考案の効果】
【００２６】
本考案によれば、使用頻度に応じたボールペンインク量が予め充填されていることにより、そのうちの１色のボールペンインクの使い切りにより、例え、破棄された場合であっても、無駄に破棄されるボールペンインクの量が少なくて済むうえに、大量生産の観点からは、製造する際に必要なボールペンインクの総量を大幅に少なくすることができ、製造コストを低減することができ、資源節約や自然環境への好影響に貢献することができるうえ、複数の芯部は同一径であるため、別個の製造型を準備する必要がなく、製造コストが嵩むことを抑制することができる。
【００２７】
請求項２記載の考案にあっては、複数の深部の各長さが同一である一方、各充填空間部におけるボールペンインクの充填量はボールペンインクの色によって異なるものの、その充填量とは反対にインク逆流防止体の充填量も異ならせることができる。
【００２８】
請求項３記載の考案にあっては、ボールペンインクの色に拘らず、複数の芯部のそれぞれにおける液体充填量は同じであるため、購入者が色別のボールペンインクの充填量が異なることに対する不良品等との勘違いを抑制することができる。
【図面の簡単な説明】
【００２９】
【図１】本考案に係る先端収納式筆記具の一実施の形態における先端収納式筆記具を示し、（Ａ）は先端収納式筆記具の正面図、（Ｂ）は図１（Ａ）のＢ−Ｂ線に沿う拡大断面図である。
【図２】本考案に係る先端収納式筆記具の一実施の形態における先端収納式筆記具の一部を省略した拡大断面図である。
【図３】本考案に係る先端収納式筆記具の一実施の形態における芯部を示し、（Ａ）は使用頻度が最も高い色（例えば、黒色）のボールペンインクを充填した芯部の説明図、（Ｂ）は使用頻度が次に高い色（例えば、青色）のボールペンインクを充填した芯部の説明図、（Ｃ）は使用頻度が次に低い色（例えば、赤色）のボールペンインクを充填した芯部の説明図、（Ｄ）は使用頻度が最も低い色（例えば、緑色）のボールペンインクを充填した芯部の説明図、である。
【考案を実施するための形態】
【００３０】
次に、本考案に係る一実施の形態について図面を参照して説明する。なお、以下の説明において、筆記具としての通常の筆記動作におけるペン先側を前方、その逆側を後方とするが、この前後は単なる方向を示すもので具体的な位置を特定するものではない。
【００３１】
図１及び図２に示すように、先端収納式筆記具１は、内側の長さ方向に延びる空間部１１を有するペン本体部１０と、空間部１１に配設されて充填空間部２１を有する軸状の複数の芯部２０と、複数の芯部２０ごとの充填空間部２１に充填された互いに異なる色のボールペンインク２２と、複数の芯部２０のペン先部２３をペン本体部１０の先端の孔部１２から択一的に出没させる操作部１３と、を有する。
【００３２】
ペン本体部１０は、ペン先部２３とは逆側に位置する円筒体からなるペン本体後部１４と、ペン本体後部１４の前方側（ペン先側）に対して螺合又は圧入により着脱可能に取り付けられる先細状の円筒体からなるペン本体前部１５と、を備える。
【００３３】
ペン本体後部１４及びペン本体前部１５は、無色透明又は有色透明な合成樹脂（例えば、ポリカーボネイト等）の射出成形により得られる。尚、ペン本体部１０（ペン本体後部１４及びペン本体前部１５）は、例えば、その一方を有色不透明な合成樹脂又は金属等により形成してもよい。さらに、例えば、ペン本体前部１５の先端付近に滑り止め用のゴム筒やクッション筒等を設けることは任意である。
【００３４】
ペン本体後部１４の後部寄りの側壁には、ペン本体部１０に収容する複数の芯部２０の本数に応じた複数（ここでは４本）の前後方向に延びる細長状のガイドスリット（肉抜き）１６が、径方向に貫設される。また、ペン本体後部１４の後端部は閉塞しているが、キャップ等を設けることも可能である。
【００３５】
図２に示すように、操作部１３は、使用者の指先操作によってガイドスリット１６に沿って前後（使用者的には上下）方向にスライドする操作体１７と、ペン本体後部１４の内壁面に固定されて複数の芯部２０を個別に支持する支持体１８と、操作体１７を後方に付勢するように操作体１７と支持体１８との間にかけ渡されたスプリング１９と、を備える。なお、スプリング１９は、図示の都合上、１か所のみ図示している。
【００３６】
複数の芯部２０は、その後端が操作体１７の先端に圧入支持される。これにより、使用者の指操作により任意に選択した操作体１７が前方にスライド操作されると、スプリング１９の付勢に抗して選択された芯部２０のペン先部２３が孔部１２から突出する。
【００３７】
そして、例えば、他の操作体１７を前方にスライドさせると、先に選択された芯部２０の操作体１７と後に操作した操作体１７とが係合し、先に選択された芯部２０がスプリング１９の付勢によって後方に変位し、ペン先部２３が埋没して元の位置に復帰する。
【００３８】
なお、これらの各種操作は公知のペン先出没操作に準じることができる。なお、４つの操作体１７のうち、一つの操作体１７はポケット等に収納した際の脱落防止用のクリップとなっている。また、操作体１７は、ボールペンインクの色に合わせた色を有している。
【００３９】
複数の芯部２０は、その外径並びに内径が何れも同一であり、使用頻度の高い色のボールペンインク２２は軸線方向に長い充填空間部２１に多く充填され、使用頻度の低い色のボールペンインク２２になるほど軸線方向に短い充填空間部２１に少なく充填される。
【００４０】
さらに、複数の芯部２０は、その長さが同一とされ、かつ、各充填空間部２１にボールペンインク２２を充填した際の充填量に相当する充填空間部２１におけるペン先部２３とは逆側の後端部側に液状のインク逆流防止体２４が設けられている。
【００４１】
インク逆流防止体２４は、先端収納式筆記具１を「落としたとき」「振ったとき」「温度が高いとき」にボールペンインク２２が逆流して漏れてしまことを抑制するものである。ボールペンインク２２に水性インクを用いた場合、液状のインク逆流防止体２４が充填空間部２１に充填される。
【００４２】
また、インク逆流防止体２４は、水性のボールペンインク２２の蒸発を防ぐ機能を具備している。水性のボールペンインク２２は粘性が低く、油性のボールペンインク２２の場合よりも蒸発し易い。すなわち、水性のボールペンインク２２の場合は、芯部２０の太さに関係なく、芯部２０の後端から水性のボールペンインク２２が蒸発してしまう。そこで、ボールペンインク２２の蒸発・乾燥を抑制するために、インク逆流防止体２４を充填している。
【００４３】
インク逆流防止体２４の材質としては、例えば、シリコーン、シリコーングリス、流動パラフィン、シリコーンオイルやワセリンなどを用いることができる。特に、シリコーンやシリコーンオイル、ワセリンは日用品として身近に使用されている材質であるため、インク逆流防止体２４が不測に肌に付着した場合でも安全性は確保される。
【００４４】
なお、油性のボールペンインク２２の場合、例えば、液状のインク逆流防止体２４に変えて、海綿体等を用いることができる。この際、海綿体等はボールペンインク２２と接触しない位置に離した状態で充填空間部２１に挿入する。
【００４５】
したがって、インク逆流防止体２４に海綿体を用いた場合、その長さを上述したＨＫ２，ＨＢ２，ＨＲ２，ＨＧ２、の長さよりも若干短く（ボールペンインク２２からの離間距離は同じとする）すればよい。
【００４６】
このような場合においても、温度が高い場合などに、ボールペンインク２２の粘性が軟らかくなり、逆流してしまうことを抑制することができる。
【００４７】
本実施の形態において、インク逆流防止体２４は、各複数の芯部２０に対する充填空間部２１におけるボールペンインク２２の充填量が少ないほど充填量が多い。
【００４８】
具体的には、図３（Ａ）に示すように、充填空間部２１に最も使用頻度の高い黒色のボールペンインク２２（２２Ｋ）を充填した芯部２０（２０Ｋ）の場合、初期（先端収納式筆記具１の工場出荷時や小売店での販売時など、以下同じ）におけるボールペンインク２２（２２Ｋ）の充填長さ（＝充填量）はＨＫ１、インク逆流防止体２４の充填長さ（＝充填量）はＨＫ２となっている。
【００４９】
これに対し、図３（Ｂ）に示すように、充填空間部２１に次に使用頻度の高い青色のボールペンインク２２（２２Ｂ）を充填した芯部２０（２０Ｂ）の場合、初期におけるボールペンインク２２（２２Ｂ）の充填長さ（＝充填量）はＨＢ１、インク逆流防止体２４の充填長さ（＝充填量）はＨＢ２となっている。
【００５０】
さらに、図３（Ｃ）に示すように、充填空間部２１に使用頻度の低い赤色のボールペンインク２２（２２Ｒ）を充填した芯部２０（２０Ｒ）の場合、初期におけるボールペンインク２２（２２Ｒ）の充填長さ（＝充填量）はＨＲ１、インク逆流防止体２４の充填長さ（＝充填量）はＨＲ２となっている。
【００５１】
さらに、図３（Ｄ）に示すように、充填空間部２１に最も使用頻度の低い緑色のボールペンインク２２（２２Ｇ）を充填した芯部２０（２０Ｇ）の場合、初期におけるボールペンインク２２（２２Ｇ）の充填長さ（＝充填量）はＨＧ１、インク逆流防止体２４の充填長さ（＝充填量）はＨＧ２となっている。
【００５２】
そして、各芯部２０（２０Ｋ，２０Ｂ，２０Ｒ，２０Ｇ）における各充填長さに関し、ボールペンインク２２の充填長さ（＝充填量）とインク逆流防止体２４の充填長さ（＝充填量）との和は、同じとなっている。
【００５３】
すなわち、黒色のボールペンインク２２（２２Ｋ）の充填長さＨＫ１＋インク逆流防止体２４の充填長さＨＫ２と、青色のボールペンインク２２（２２Ｂ）の充填長さＨＢ１＋インク逆流防止体２４の充填長さＨＢ２と、赤色のボールペンインク２２（２２Ｒ）の充填長さＨＲ１＋インク逆流防止体２４の充填長さＨＲ２と、緑色のボールペンインク２２（２２Ｇ）の充填長さＨＧ１＋インク逆流防止体２４の充填長さＨＧ２と、は同じとなっている。
【００５４】
したがって、使用頻度の高い順に、黒色のボールペンインク２２（２２Ｋ）の充填長さＨＫ１＞青色のボールペンインク２２（２２Ｂ）の充填長さＨＢ１＞赤色のボールペンインク２２（２２Ｒ）の充填長さＨＲ１＞緑色のボールペンインク２２（２２Ｇ）の充填長さＨＧ１、である。
【００５５】
逆に、芯部２０（２０Ｋ）のインク逆流防止体２４の充填長さＨＫ２＜芯部２０（２０Ｂ）のインク逆流防止体２４の充填長さＨＢ２＜芯部２０（２０Ｒ）のインク逆流防止体２４の充填長さＨＲ２＜芯部２０（２０Ｇ）のインク逆流防止体２４の充填長さＨＧ２、である。
【００５６】
なお、芯部２０は、交換可能である。芯部２０を交換する場合、ペン本体前部１５をペン本体後部１４から外し、所望の（使い切った）芯部２０を操作体１７から引き抜き、新たな芯部２０を操作体１７に装着し、ペン本体前部１５をペン本体後部１４に接続するだけでよい。
【００５７】
ところで、本考案の先端収納式筆記具１は、上記の実施の形態に限定されるものでなく、実用新案登録請求の範囲に記載した技術的範囲には、本考案の要旨を逸脱しない範囲内で種々、設計変更した形態が含まれる。
【００５８】
また、以上に述べた以外にも、上記実施の形態による手法を適宜組み合わせて利用してもよい。その他、本考案は、その趣旨を逸脱しない範囲内において、種々の変更が加えられて実施されるものである。
【００５９】
例えば、上記実施の形態では、本考案の先端収納式筆記具１として、４色の多色ボールペンに適用した場合で説明したが、２色以上の多色ボールペンに適用可能である。また、２本以上のボールペンの芯部を備えていれば、例えば、１本の機械式鉛筆、液晶タッチパネル用の１本のタッチペン、等を複合して装着した先端収納式筆記具の全般に適用可能である。
【００６０】
また、上記実施の形態で開示した先端収納式筆記具１として、４色の多色ボールペンに適用した場合で説明したが、書いた線の太さを異ならせた２本の同色（例えば、「黒色」）のボールペンインクを充填した２本の芯部に加えて、他の色のボールペンインクを充填した１本以上の芯部を装着した先端収納式筆記具の全般に適用可能である。
【００６１】
なお、応用として、書いた線の太さを異ならせた２本の同色（例えば、「黒色」）のボールペンインクを充填した２本の芯部の場合においても、細字（例えば、０．３ｍｍ）のボールペンインクを充填した芯部における充填量を、太字（例えば、１．５ｍｍ）のボールペンインクを充填した芯部における充填量よりも少なくしてもよい。
【００６２】
これにより、細字の芯部を用いた場合、太字の芯部を用いた場合よりもボールペンインクの消耗量が少ないため、例えば、何れか一方のみを用いた場合に使い切る文字数（サンプル文章等）を基準として、同じ文字数で使い切れる充填量としてもよい。
【００６３】
以上説明したように、本考案に係る先端収納式筆記具は、１色のボールペンインクの使い切りにより、例え、破棄された場合であっても、無駄に破棄されるボールペンインクの量が少なくて済むうえに、製造時におけるボールペンインクの総量を大幅に少なくし、製造コストの削減、資源節約や自然環境への好影響、に貢献することができるという効果を有し、1本のペン本体部に対して異なる色のボールペンインクをそれぞれ充填した複数の芯部を設けた先端収納式筆記具全般に有用である。
【符号の説明】
【００６４】
１    先端収納式筆記具
１０    ペン本体部
１１    空間部
１２    孔部
１３    操作部
１４    ペン本体後部
１５    ペン本体前部
１６    ガイドスリット
１７    操作体
１８    支持体
１９    スプリング
２０    芯部
２１    充填空間部
２２    ボールペンインク
２３    ペン先部
２４    インク逆流防止体
ＨＧ１  充填長さ
ＨＧ２  充填長さ
ＨＢ１  充填長さ
ＨＢ２  充填長さ
ＨＫ１  充填長さ
ＨＫ２  充填長さ
ＨＲ１  充填長さ
ＨＲ２  充填長さ
【図１】
0003218106.tif 000003
【図２】
0003218106.tif 000004
【図３】
0003218106.tif 000005